(57)【要約】【課題】花立てに雨水や異物などが入り込むのを防ぐことができる花立て用蓋を提供する。【解決手段】薄い円形板状の蓋本体１１が、上方中央部が凸に湾曲し下側が凹んだ湾曲形状をなしている。蓋本体１１は、周縁部を反らせることが可能な可撓性を有し、花立て１の開口１ａを塞ぐようになっている。複数の爪部１２が、蓋本体１１の周縁部１１ａから下方に突出して開口１ａの外縁を挟んで固定するよう設けられている。蓋本体１１の中央部１１ｂを周縁部１１ａに対して下面側に押して、中央部１１ｂを下方に凸に湾曲させることにより、周縁部１１ａを反らせて各爪部１２を外側に開くことができる。【選択図】図２
0003156713.tif 000002
【実用新案登録請求の範囲】
【請求項１】
墓前に供える花立ての開口を塞ぐための花立て用蓋であって、
下側が凹んだ湾曲形状をなして周縁部を反らせることが可能な可撓性を有し、前記花立ての開口を覆う板状の蓋本体と、
前記蓋本体の周縁部から下方に突出して前記開口の外縁を挟むよう設けられ、前記周縁部を反らせたとき外側に開く複数の爪部とを、
有することを特徴とする花立て用蓋。
【考案の詳細な説明】
【技術分野】
【０００１】
本考案は、花立て用蓋に関する。
【背景技術】
【０００２】
一般的に、墓には、墓参りの際に生花を供えるための花立てが設けられている（例えば、特許文献１参照）。
【先行技術文献】
【特許文献】
【０００３】
【特許文献１】実用新案登録第３０２６８２９号公報
【考案の概要】
【考案が解決しようとする課題】
【０００４】
特許文献１に記載のような一般的な花立ては、使用しないときに雨水や異物などが入り込みやすいという課題があった。例えば、花立てに水が溜まると、藻等が発生し、こびりついて汚れたり、その水が腐って悪臭を発したりして不衛生になる。また、夏には、溜まった水にボウフラがわいて、蚊の発生源になったり、秋には、枯れ葉などが入って、中で腐食して異臭を発生したり、冬には、水が凍結して、花立てが破損したりするおそれがある。
【０００５】
本考案は、このような課題に着目してなされたもので、花立てに雨水や異物などが入り込むのを防ぐことができる花立て用蓋を提供することを目的とする。
【課題を解決するための手段】
【０００６】
上記目的を達成するために、本考案に係る花立て用蓋は、墓前に供える花立ての開口を塞ぐための花立て用蓋であって、下側が凹んだ湾曲形状をなして周縁部を反らせることが可能な可撓性を有し、前記花立ての開口を覆う板状の蓋本体と、前記蓋本体の周縁部から下方に突出して前記開口の外縁を挟むよう設けられ、前記周縁部を反らせたとき外側に開く複数の爪部とを、有することを特徴とする。
【０００７】
本考案に係る花立て用蓋は、次のようにして、花立てに着脱することができる。まず、蓋本体の中央部を周縁部に対して下面側に押して、蓋本体の下面の周縁部に、下方に突出するよう設けられた複数の爪部を外側に開く。次に、各爪部が開口の外側になるように、蓋本体で花立ての開口を覆う。蓋本体を元の状態に戻せば、各爪部が開口の外縁を挟んで固定することができる。蓋本体は、自然の復元力により元の状態に戻るようになっていても、力を加えたとき元の状態に戻るようになっていてもよい。
【０００８】
花立てから取り外すときには、蓋本体の中央部を周縁部に対して下面側に押して、各爪部を外側に開き、各爪部を開口の外縁から離す。これにより、容易に花立てから取り外すことができる。このように、本考案に係る花立て用蓋は、花立てへの取り付け、取り外しが容易であり、片手でも着脱可能である。本考案に係る花立て用蓋は、花立てに取り付けたとき、蓋本体が花立ての開口を覆うため、花立てに雨水や異物が入り込むのを防ぐことができる。また、各爪部で開口を挟んで固定するため、風雨などでも外れにくい。
【０００９】
本考案に係る花立て用蓋は、耐候性を有するプラスチック製であることが好ましい。この場合、汚れても清掃が容易であり、衛生的である。また、手触りもよい。さらに、寿命も長く、長期間使用することができる。本考案に係る花立て用蓋は、取り外したときに紛失しないよう、花立てに繋がれていても、連結可能であってもよい。
【考案の効果】
【００１０】
本考案によれば、花立てに雨水や異物などが入り込むのを防ぐことができる花立て用蓋を提供することができる。
【図面の簡単な説明】
【００１１】
【図１】本考案の実施の形態の花立て用蓋の（ａ）平面図、（ｂ）底面図である。
【図２】図１に示す花立て用蓋の（ａ）花立てへの取付状態を示す側面図、（ｂ）花立てへの着脱状態を示す側面図である。
【考案を実施するための形態】
【００１２】
以下、図面に基づき本考案の実施の形態について説明する。
図１および図２は、本考案の実施の形態の花立て用蓋を示している。
図１および図２に示すように、花立て用蓋１０は、墓前に供える花立て１の開口１ａを覆うための花立て用蓋１０であって、蓋本体１１と複数の爪部１２と連結部１３と連結紐１４とを有している。
【００１３】
蓋本体１１は、薄い円形板状で、上方にやや凸に湾曲し下側が凹んだ湾曲形状をなしている。蓋本体１１は、周縁部を反らせることが可能な可撓性を有し、花立て１の開口１ａを塞ぐようになっている。蓋本体１１は、上面の中央に蓮の模様が描かれている。
複数の爪部１２は、蓋本体１１の周縁部１１ａに等間隔で設けられている。爪部１２は、周縁部１１ａから下方に突出し、開口１ａの外縁を挟んで固定するようになっている。
連結部１３は、蓋本体１１の周縁部１１ａから側方に向かって突出して設けられている。連結部１３は、先端の中央部に連結孔１３ａを有している。
【００１４】
蓋本体１１、各爪部１２および連結部１３は、耐候性を有するプラスチック製で、一体的に形成されている。
連結紐１４は、金属製のチェーンから成り、連結孔１３ａに挿入されている。連結紐１４は、取付部１４ａで両端を接続して環状を成すよう構成されている。連結紐１４は、花立て１の周囲に巻き付けられ、取付部１４ａで両端を接続して花立て１に取り付け可能となっている。連結紐１４により、花立て用蓋１０を花立て１に取り付けることができる。
【００１５】
図２に示すように、花立て用蓋１０は、蓋本体１１の中央部１１ｂを周縁部１１ａに対して下面側に押して、中央部１１ｂを下方に凸に湾曲させることにより、各爪部１２を外側に開き、中央部１１ｂを周縁部１１ａに対して下面側に押す力を除いたとき、中央部１１ｂが自然の復元力により元の状態に戻るようになっている。花立て用蓋１０は、花立て１に取り付けたとき、蓋本体１１が花立て１の開口１ａを覆い、各爪部１２が開口１ａの外縁を挟んで固定するよう構成されている。
【００１６】
次に、作用について説明する。
花立て用蓋１０は、次のようにして、花立て１に着脱することができる。まず、図２（ｂ）に示すように、蓋本体１１の中央部１１ｂを周縁部１１ａに対して下面側に押して、各爪部１２を外側に開く。その状態で蓋本体１１により花立て１の開口１ａを覆う。蓋本体１１の中央部１１ｂを周縁部１１ａに対して下面側に押す力を除くことにより、蓋本体１１が自然に元の状態に戻る。これにより、図２（ａ）に示すように、各爪部１２が開口１ａの外縁を挟んで花立て１に取り付けることができる。
【００１７】
花立て１から取り外すときには、蓋本体１１の中央部１１ｂを周縁部１１ａに対して下面側に押して、各爪部１２を外側に開き、各爪部１２を開口１ａの外縁から離す。これにより、容易に花立て１から取り外すことができる。このように、花立て用蓋１０は、花立て１への取り付け、取り外しが容易であり、片手でも着脱可能である。花立て用蓋１０は、花立て１に取り付けたとき、蓋本体１１が花立て１の開口１ａを覆うため、花立て１に雨水や異物が入り込むのを防ぐことができる。また、各爪部１２で開口１ａを挟んで固定するため、風雨などでも外れにくい。
【００１８】
花立て用蓋１０は、蓋本体１１、各爪部１２および連結部１３が耐候性を有するプラスチック製であるため、汚れても清掃が容易であり、衛生的である。また、手触りもよい。さらに、寿命も長く、長期間使用することができる。花立て用蓋１０は、連結紐１４で花立て１と連結されているため、花立て１から取り外したときでも紛失するおそれがない。花立て用蓋１０は、形状や構成が単純であるため、製造が容易であり、花立て１への着脱も容易である。
【符号の説明】
【００１９】
１  花立て
１ａ  開口
１０  花立て用蓋
１１  蓋本体
１１ａ  周縁部
１１ｂ  中央部
１２  爪部
１３  連結部
１３ａ  連結孔
１４  連結紐
【図１】
0003156713.tif 000003
【図２】
0003156713.tif 000004